(57)【特許請求の範囲】
【請求項１】
表示パネルと該表示パネルを保護する弾性体とこれら表示パネル及び弾性体を保持するホルダーとを備えた表示装置において、
前記表示パネルの周囲に前記弾性体としてのゴム体を組み付け、かつ前記ホルダーに複数の突出部を設け、この各突出部に前記ゴム体を圧入による弾性変形により固定自在にしたことを特徴とする表示装置。
【発明の詳細な説明】
【０００１】
【発明の属する技術分野】
本発明は、例えば、大型で１枚の液晶の表示パネル（ＬＣＤ；Liquid CrystalDisplay）に車速（スピード）とエンジン回転数（タコ）と総走行距離（オド）及び区間距離（トリップ）等の複数の表示を行うようにした車輌用メータ等の表示装置に関し、特に、表示パネルを弾性体を介してホルダーへ固定する表示パネルの固定構造に係わる。
【０００２】
【従来の技術】
この種の表示装置として、図４，図５及び図６，図７にそれぞれ示すものが知られている。
【０００３】
図４，図５に示す表示装置１は、矩形板状のＬＣＤ２と、このＬＣＤ２の上下左右端の各縁部側を被うように保護する枠状のゴム体３と、このゴム体３を介して上記ＬＣＤ２を保持する略箱形で合成樹脂製のＬＣＤホルダー４とを備えている。このＬＣＤホルダー４の開口段差部４ａの上下の前縁部４ｂの両側には、各一対の係止爪４ｃ，４ｃをそれぞれ一体突出形成してある。
【０００４】
そして、このＬＣＤホルダー４の開口段差部４ａの各一対の係止爪４ｃ，４ｃと後壁部４ｄとの間に、ＬＣＤ２に組み付けられたゴム体３の前後面側を挾持するように係止することにより、ＬＣＤ２がＬＣＤホルダー４へ固定されるようになっている。
【０００５】
図６，図７に示す表示装置１′は、矩形板状のＬＣＤ２と、このＬＣＤ２の上下左右端の各縁部側を被うように保護する枠状のゴム体３と、これらＬＣＤ２及びゴム体３を合成樹脂製のＬＣＤセル５を介して保持する略箱形で合成樹脂製のＬＣＤホルダー４′とを備えている。このＬＣＤセル５はＬＣＤホルダー４′の開口段差部４ａの前縁部４ｂと後壁部４ｄを挾持する断面略コ字状の矩形枠状に形成してあり、その正面中央に表示窓５ａを形成してある。
【０００６】
そして、このＬＣＤセル５とＬＣＤホルダー４′の開口段差部４ａの後壁部４ｄとの間に、ＬＣＤ２に組み付けられたゴム体３の前後面側を挾持するように係止することにより、ＬＣＤ２がＬＣＤホルダー４′へ固定されるようになっている。
【０００７】
【発明が解決しようとする課題】
しかしながら、前記従来の表示装置１では、ＬＣＤホルダー４の開口段差部４ａの前縁部４ｂより各一対の係止爪４ｃ，４ｃを相対向する内側にそれぞれ大きく突出させているので、ＬＣＤホルダー４の開口段差部４ａの各一対の係止爪４ｃ，４ｃと後壁部４ｄとの間にゴム体３を組み付けて固定する作業に熟練を要し、また、ＬＣＤホルダー４を樹脂成形する金型の形状が複雑になるため、金型の加工費が高くなってその分装置全体がコスト高になった。
【０００８】
また、前記他の従来の表示装置１′では、ＬＣＤ２をＬＣＤホルダー４′へ固定する際にＬＣＤセル５の別部品が必要不可欠なため、その分部品点数が増えて装置全体がコスト高になった。
【０００９】
そこで、本発明は、前記した課題を解決すべくなされたものであり、表示パネルをホルダーへ固定する際に簡単な組み付け作業により確実に固定することができる安価な表示装置を提供することを目的とする。
【００１０】
【課題を解決するための手段】
請求項１の発明は、表示パネルと該表示パネルを保護する弾性体とこれら表示パネル及び弾性体を保持するホルダーとを備えた表示装置において、前記表示パネルの周囲に前記弾性体としてのゴム体を組み付け、かつ前記ホルダーに複数の突出部を設け、この各突出部に前記ゴム体を圧入による弾性変形により固定自在にしたことを特徴とする。
【００１１】
この表示装置では、表示パネルの周囲に組み付けられたゴム体の弾性を利用して該ゴム体をホルダーの複数の突出部に圧入するだけの簡単な作業により、表示パネルがホルダーに確実に固定される。特に、ホルダーに圧入用の複数の突出部を形成するだけの簡単な構造で済むため、ホルダーの加工費がコストダウンされて装置全体の低コスト化が図られる。また、各突出部によりゴム体を介して表示パネルが支持されるため、表示パネルへの振動等の衝撃が確実に緩衝され、表示パネルが保護される。
【００１６】
【発明の実施の形態】
以下、本発明の一実施形態を図面に基づいて説明する。
【００１７】
図１は本発明の一実施形態の表示装置を示す正面図、図２は同表示装置の断面図、図３は同表示装置の部分断面図である。
【００１８】
図１，図２に示すように、表示装置１０は、表示パネルとしての大型で矩形板状のＬＣＤ（液晶表示素子）１１に車速（スピード）とエンジン回転数（タコ）と総走行距離（オド）及び区間距離（トリップ）等の複数のカラー表示を行う車輌用メータとして使用されるものであり、上記ＬＣＤ１１の他に、このＬＣＤ１１の上下左右端の各縁部１１ａ〜１１ｄの周囲全周を被って該ＬＣＤ１１を保護する枠状でシリコンゴム材等から成るゴム体（弾性体）１２と、このゴム体１２を介して上記ＬＣＤ１１を保持する略箱形で合成樹脂製のＬＣＤホルダー（ホルダー）１３と、このＬＣＤホルダー１３の底部１３ａに取り付けられたＬＣＤ照明用（バックライト用）の光源１４とを備えている。
【００１９】
ゴム体１２は断面コ字状になっていて、ＬＣＤ１１の上下左右端の各縁部１１ａ〜１１ｄの全周に沿うようにして嵌め込まれている。また、ＬＣＤホルダー１３の開口段差部１３ｂの内周面１３ｃの上下の両側には四角柱状で各一対の突出部１３ｄ，１３ｄをそれぞれ一体突出形成してあると共に、該開口段差部１３ｂの内周面１３ｃの左右の中央には四角柱状の各突出部１３ｄをそれぞれ一体突出形成してある。
【００２０】
そして、ＬＣＤホルダー１３の開口段差部１３ｂの内周面１３ｃの各突出部１３ｄに、ＬＣＤ１１に組み付けられたゴム体１２の上下左右の各面１２ａ〜１２ｄをそれぞれ圧入することにより、ＬＣＤ１１がＬＣＤホルダー１３へ固定されるようになっている。この際、ＬＣＤホルダー１３の各突出部１３ｄに圧入されたゴム体１２の上下左右の各面１２ａ〜１２ｄの一部は凹むと共に、ゴム体１２の背面１２ｅはＬＣＤホルダー１３の開口段差部１３ｂの後壁部１３ｅに当接されるようになっている。また、図３に示すように、圧入部分以外のゴム体１２の上下左右の各面１２ａ〜１２ｄとＬＣＤホルダー１３の開口段差部１３ｂの内周面１３ｃとの間には所定の隙間ｔを有している。
【００２１】
以上実施形態の表示装置１０によれば、ＬＣＤ１１を振動等による衝撃から保護するＬＣＤ保護部品としてのゴム体１２を利用して、ＬＣＤ１１とゴム体１２の組付体をＬＣＤホルダー１３に圧入することでＬＣＤ１１をＬＣＤホルダー１３へ固定する。
【００２２】
このように、ＬＣＤ１１に組み付けられたゴム体１２をＬＣＤホルダー１３の各突出部１３ｄに圧入により固定自在にしたので、該ゴム体１２の弾性を利用してゴム体１２をＬＣＤホルダー１３に圧入するだけの簡単な作業により、ＬＣＤ１１をＬＣＤホルダー１３に確実に固定することができる。
【００２３】
また、ＬＣＤホルダー１３の開口段差部１３ｂの内周面１３ｃに圧入用の複数の突出部１３ｄを一体突出形成するだけの簡単な構造で済むため、ＬＣＤホルダー１３の金型加工費を安くすることができると共に部品点数を削減することができて、表示装置１０の低コスト化を図ることができる。さらに、各突出部１３ｄによりゴム体１２を介してＬＣＤ１１が略均等に支持されるため、ＬＣＤ１１への振動等の衝撃を確実に緩衝させて吸収することができ、ＬＣＤ１１を振動等から保護することができる。さらにまた、弾性体としてゴム体１２を用いたので、振動等による衝撃からＬＣＤ１１を確実に保護することができると共に、表示装置１０の低コスト化をより一段と図ることができる。
【００２４】
尚、前記実施形態によれば、表示パネルとしてＬＣＤを用いたが、ＣＲＴやＥＬＤ等の他の表示パネルでも良い。また、車輌用メータに使用される場合について説明したが、カーナビ用ディスプレイ装置等の他の表示装置に用いても良いことは勿論である。
【００２５】
【発明の効果】
以上説明したように、請求項１の発明によれば、表示パネルの周囲に組み付けられたゴム体をホルダーの複数の突出部に圧入により固定自在にしたので、該ゴム体の弾性を利用してゴム体をホルダーの複数の突出部に圧入するだけの簡単な作業により、表示パネルをホルダーに確実に固定することができる。特に、ホルダーに圧入用の複数の突出部を形成するだけの簡単な構造で済むため、ホルダーの加工費を安くすることができて装置全体の低コスト化を図ることができる。また、各突出部によりゴム体を介して表示パネルが支持されるため、表示パネルへの振動等の衝撃を確実に緩衝させて吸収することができ、表示パネルを振動等から保護することができると共に、装置全体の低コスト化をより一段と図ることができる。
【図面の簡単な説明】
【図１】本発明の一実施形態の表示装置を示す正面図である。
【図２】図１中Ａ−Ａ線に沿う断面図である。
【図３】図１中Ｂ−Ｂ線に沿う断面図である。
【図４】従来例の表示装置を示す正面図である。
【図５】図４中Ｃ−Ｃ線に沿う断面図である。
【図６】他の従来例の表示装置を示す正面図である。
【図７】図６中Ｄ−Ｄ線に沿う断面図である。
【符号の説明】
１０  表示装置
１１  ＬＣＤ（表示パネル）
１２  ゴム体（弾性体）
１３  ＬＣＤホルダー（ホルダー）
１３ｄ  突出部
【図１】
0003540176.tif 000002
【図２】
0003540176.tif 000003
【図３】
0003540176.tif 000004
【図４】
0003540176.tif 000005
【図５】
0003540176.tif 000006
【図６】
0003540176.tif 000007
【図７】
0003540176.tif 000008